(57)【要約】【課題】資源の消費を有効に抑制できる、装着可能なネームプレート用表示板を提供する。【解決手段】相互に対向する、少なくとも一方が透明な二枚の基板間の密閉空間内に、色および帯電特性の異なる二種類の情報表示媒体を封入するとともに、それらの情報表示媒体を、電界の形成下で移動させて、透明基板側に所要の情報を表示させる可逆式の情報表示パネルよりなる氏名の表示部２を設けるとともに、裏面側に、着衣への取付け手段を設けてなる。【選択図】図１
2006058620.tif 000002
【特許請求の範囲】
【請求項１】
相互に対向する、少なくとも一方が、透明な二枚の基板間の密閉空間内に、色および帯電特性の異なる二種類の情報表示媒体を封入するとともに、それらの情報表示媒体を電界の形成下で移動させて、透明基板側に所要の情報を表示させる可逆式の情報表示パネルよりなる、少なくとも氏名の表示部を設けるとともに、裏面側に、着衣への取付け手段を設けてなる装着可能なネームプレート用表示板。
【請求項２】
裏面側に、折り畳み可能なプレート支持脚を設けてなる請求項1に記載の装着可能なネームプレート用表示板。
【請求項３】
可逆式の情報表示パネルよりなる、少なくとも日付けの表示部を設けてなる請求項１もしくは２に記載の装着可能なネームプレート用表示板。
【請求項４】
それぞれの基板をプラスチック材料製としてなる請求項１〜３のいずれかに記載の装着可能なネームプレート用表示板。
【発明の詳細な説明】
【技術分野】
【０００１】
この発明は、相互に対向する、少なくとも一方が透明な二枚の基板間の密閉空間内に、色および帯電特性の異なる二種類の粉流体、粒体等からなる情報表示媒体を、気体を分散媒として封入するとともに、それらの情報表示媒体を電界中で移動させて、透明基板側に所要の、文字、図形、記号、画像等の各種の情報を表示させる、可逆式にして乾式の情報表示パネルを、書き換え可能な表示部として用いた装着可能なネームプレート用表示板に関するものである。
【背景技術】
【０００２】
従来の装着可能なネームプレートとしては、クリップ、安全ピン等の着衣取付け手段を用いた透明なプラスチックハードケースに、氏名等を手書きした、または印刷した紙を挿入するものがあり、かかるネームプレートは、会議、懇親会、パーティ等におてい着衣の胸部等に取り付けて使用に供される。
【発明の開示】
【発明が解決しようとする課題】
【０００３】
しかるに、この従来技術にあっては、ネームプレートの準備のために、ハードケースに適合する寸法に紙を裁断するととともに、裁断されたその紙に、出席者、参加者等の全員の氏名情報その他を手書きもしくは印刷し、その後にそれをハードケースに収納することが必要になるため、その準備のために多くに作業工数を要するという問題があり、この一方で、ネームプレートの使用後には、氏名情報を印刷等した紙の廃棄が余儀なくされるため、印刷インキをも含む資源の消費が不可避となる問題があった。
【０００４】
この発明は、従来技術が抱えるこのような問題点を解決することを課題としてなされたものであり、それの目的をするところは、ネームプレートの準備のための作業工数を有効に低減させることができるともに、資源の消費を有効に抑制することができる装着可能なネームプレート用表示板を提供するにある。
【課題を解決するための手段】
【０００５】
この発明に係る装着可能なネームプレート用表示板は、相互に対向する、少なくとも一方が透明な二枚の平行な基板間の密閉したガス封止空間、たとえば空気封止空気内に、色および帯電特性の異なる二種類の、粉流体、粒体等からなる情報表示媒体を封入するとともに、それらの情報表示媒体を電界の形成下で移動させて、透明基板側に所要の情報を表示させる、可逆式にして乾式の情報表示パネルよりなる、少なくとも氏名の表示部を設けるとともに、裏面側に、クリップ、安全ピン等とすることができる着衣への取付け手段を、直接的もしくは間接的に設けたものである。
【０００６】
ここで好ましくは、裏面側に、折り畳み可能なプレート支持脚を設ける。
また、好ましくは、上記の情報表示パネルの一部よりなる、または、それとは別個の可逆式の情報表示パネルよりなる、少なくとも日付けの表示を設ける。
そしてまた、それぞれの基板はプラスチック材料製とすることが好ましい。
【発明の効果】
【０００７】
少なくとも一方が透明の二枚の基板間の空間内に、色および帯電特性の異なる二種類の情報表示媒体を、気体を分散媒として封入し、それらの情報表示媒体を電界中で移動させて透明基板側に所要の情報を表示させる、この種の可逆式の情報表示パネルそれ自体は、特開２００３−２４１２３５号公報、特開２００３−２４８２４５号公報、特開２００３−２４８２４９号公報等に開示されており、これらの情報表示パネルは、電極対間での電界の形成に基いて、たとえば、情報表示媒体としてのそれぞれの粒子同士のクーロン力、電極との電気影像力、分子間力、液架橋力、重力等によって、透明基板側に所要の、図形、記号、画像その他を繰返し表示し、書き換えし、そして消去することができるとともに、応答性が高く、単純な構造で安価であることに加えて大型化が容易で、しかも、表示の安定性および鮮明度にすぐれるとともに視野角が広いという特性を有する。
【０００８】
その上、この情報表示パネルの情報表示媒体は、電極への駆動電圧の印加を停止してなお、電気影像力等によって、表示情報を長期間にわたって維持できるという、すぐれた表示保存性を発揮できる利点も有する。
【０００９】
この発明に係る、装着可能なネームプレート用表示板は、可逆式の乾式情報表示パネルのこのような特性を利用したものであり、この表示板では、情報表示パネルを、少なくとも氏名、好ましくは、所属、役職等をも含む氏名情報の書き込みおよび書き換え表示部として用い、情報表示媒体の作用下で、その表示部に氏名情報を表示した状態で、それを、ネームプレートとして用いることができ、このネームプレートはクリップその他の取付け手段により従来の一般的なネームプレートと同様に着衣の所要位置に装着することができる。
この場合、表示部に表示された氏名情報は、情報表示媒体のすぐれた表示保存性の下で、その表示部を電源等から切り離してなお、長時間にわたって十分にかつ鮮明に維持されることになる。
このようにして、特定の氏名情報の表示に用いたネームプレートがその役割を終えた後は、それを回収して、電界中での情報表示媒体の移動に基いて、表示部に表示された情報の全てを完全に消去することで、それを元のネームプレート用表示板に復帰させる。
【００１０】
そして、このような表示板の再度の使用に当っては、たとえば、ネームプレートの準備の担当者等が、その表示板を電源に接続した状態で、出席者、参加者等の名簿、出欠表等から読み込ませた情報その他に基いて、表示部に新たな氏名情報を表示させること、あるいは、ネームプレートの装着者本人が、自身の名刺情報等を読み込ませて、または、所定の情報をマニュアル入力して表示部に氏名情報を表示させることにより、ネームプレートとして繰り返し使用することができる。
【００１１】
従って、情報表示パネルを書き換え可能な表示部として用いるこのネームプレート用表示板によれば、所定のネームプレートを、準備担当者また装着者本人によって簡易迅速に作製することができるので、ネームプレートの準備等に要する作業工数を従来技術に比して大きく低減させることができ、また、情報の書き換えに伴う紙等の廃棄を不要として資源の消費を有効に抑制することができる。
【００１２】
なおここで、情報表示パネルそれ自体は１００μｍ程度まで薄肉化できるので、ネームプレート表示板の全体を情報表示パネルだけで構成した場合は、従来技術のネームプレートに比してはるかに軽量化することができる。従ってここでは、裏面側に設ける安全ピン、クリップその他とすることができる取付け手段の、表示板側への固定ないしは固着強度を十分に高めるべく、その取付け手段を、情報表示パネルの裏打板ないしは支持板に取り付けることとしてなお、十分な軽量化を担保することができる。
【００１３】
ここで、上述したようなネームプレート表示板の裏面側に、折り畳み可能なプレート支持脚を設けた場合には、その支持脚の折り畳み姿勢の下では、ネームプレート用表示板、ひいてはネームプレートを、取付け手段の作用下で着衣に装着することができ、また、プレート支持脚の開放姿勢の下では、ネームプレート用表示板をその支持脚をもって、たとえば会議の席の卓上、テーブル上、机上等に起立状態で支持することができる。
従ってこの後者の場合には、取付け手段の不作用下で、ネームプレートを載置名札として機能させることができる。
【００１４】
そしてまた、このようなネームプレート用表示板に、上述した情報表示パネルの一部からなる、または、それとは別個独立の情報表示パネルからなる、少なくとも日付、好ましくは日時の表示部を設けた場合には、特定の施設、工場等の入口で、ネームプレート用表示板の電源等への接続下で、それに、氏名情報および日付情報のそれぞれを表示させるとともに、それを、電源等から切り離して、訪問者の着衣に装着してもらうことで、情報を書き込んだネームプレートを、入門証その他の証明書としても機能させることができる。
【００１５】
なおこの場合、ネームプレート用表示板を入門及び出門の管理用としてだけ利用する場合には、氏名情報は、氏名等を直接的に観念できる文字ではなしに、ネームプレートの発行個所等を介して間接的に観念できる数字、記号その他をもって表示することもできる。
【００１６】
ここで、情報表示パネルのそれぞれの基板を、プラスチック材料製としたときは、その情報表示パネル、ひいては表示部を十分軽量化することができ、その厚みを、先にも述べたように、１００μｍ程度までに薄肉化することができる。
【発明を実施するための最良の形態】
【００１７】
図１は、この発明に係る、装着可能なネームプレート用表示板に、相互に書き換え可能な氏名情報を表示してネームプレートとした場合を例示する正面図であり、図中１はネームプレート用表示板の全体を示し、図の（ａ），（ｂ），（ｃ）間の白抜き矢印は、相互の書き換え例を示す。
【００１８】
このネームプレート用表示板１は、後に構造を詳述する、表面側を透明基板としてなる可逆式の情報表示パネルの一枚を、少なくとも氏名、図では所属をも含む氏名情報の表示部２として表面側に設けたものである。
【００１９】
従ってここでは、表示部２の全体を、氏名情報の書き込みおよび書き換え可能域として機能させることができるが、一般的には、特定サイズの表示板１に対しては、所属の表示域と、氏名の表示域とのレイアウトがほぼ特定されることになるので、たとえば、図１（ｂ）に仮想線で囲んで示すように、氏名の表示部と所属の表示部とを区分して、それらを相互に独立した情報表示パネルによって構成することもできる。
【００２０】
ここで、ネームプレート用表示板１の表面側には、上述したところに加えて、たとえば、氏名の表示部２を構成する情報表示パネルの一部からなる、または図示のように、その情報表示パネルとは別個独立の情報表示パネルからなる、少なくとも日付け、好ましくは、図１（ｂ），（ｃ）に示すように時刻をも表示する日付け情報表示部３をも設けることもできる。
【００２１】
このような表示部３を設けたネームプレート表示板１は、そこへの所要の表示をもって、氏名情報の直接的もしくは間接的な表示と相俟って、それを、入門証、証明書等として機能させることができる。
【００２２】
ところで、一の表示板１内に複数枚の情報表示パネルを用いる場合には、情報表示パネルの基板間に封入される情報表示媒体の二色の色彩の組合わせを所要に応じて選択することにより、いずれかの表示情報を、他の情報に対して際立たせたり、主要な情報の視認性を高めたりすることができる。
【００２３】
以上のような表示部２、３は、それらが一枚の情報パネルよりなると、複数枚の情報表示パネルの組合わせよりなるとの別なく、たとえば、所要の剛性を有するプラスチック板その他の支持板をもって裏打ちすることが、１００μｍ程度の厚みとすることできる表示部２、３の、ひいては、ネームプレート用表示板１の定型性を高める上で好ましい。
【００２４】
そしてまた、このネームプレート用表示板１では、図２に背面斜視図で示すように、それを着衣に着脱するための取付け手段、図では、クリップ４および安全ピン５のそれぞれを、たとえば裏打ち支持板６の背面側に設ける。
【００２５】
なお、図に示すところでは、ネームプレート用表示枚１を、図１（ａ），（ｂ）で示すような縦長姿勢で使用する場合と、１図（ｃ）に示すような横長姿勢で使用する場合とを考慮して、裏打ち支持板６の二辺に沿う二個所にそれぞれの取付け手段を設けているが、ネームプレート用表示板１の使用姿勢をいずれか一方だけに特定するときは、それに対応する一の取付け手段だけを設け得ることはもちろんである。
【００２６】
さらに、このようなネームプレート用表示板１は、好ましくは、その用途を、着衣への装着のみならず、卓上等への起立載置にも拡大するべく、図３に例示するように、支持板６の背面側に、ネームプレート用表示板それ自体を起立姿勢に維持する支持脚７を、図３（ａ），（ｂ）にそれぞれ示すように、垂直面内または水平面内で折り畳み可能に設けることが好適である。
【００２７】
なおここで、このような支持脚７は、たとえば、支持板６の背面に、接着、融着等の固着または、機械的な固定等によって接合させたプラスチックプレートを、塑性変形ヒンジ部もしくは弾性変形ヒンジ部を介して、揺動変形可能とすることで構成することができ、かかる支持脚７の不測の折り畳み変位を阻止するためには、支持脚７をそれの開放姿勢に拘束する適宜のストッパーを設けることが好ましい。
【００２８】
この一方で、ネームプレート用表示板１の、着衣への装着時の、支持脚７の不測の開放変形を防止するためには、支持脚７をそれの折り畳み姿勢に拘束するスナップ掛合部、弾性掛合部等を支持板６に設けること、または、支持板６と支持脚７との対向面に面ファスナ等の掛止手段を設けることが好ましい。
【００２９】
ところで、図３に示すところでは、着衣への取付け手段を、ネームプレート用表示板１を横長姿勢で使用する場合について示しているも、それを縦長姿勢で使用するときは、取付け手段および支持脚７の装着姿勢を９０°変更することが必要である。
そして、この場合にあってなお、着衣取付け手段を図２に示すように二個所に設けることもできる。
【００３０】
以上に述べたようなネームプレート用表示板の表面側の表示部として用いることができる、可逆式にして乾式の情報表示パネルは、図4もしくは5に要部を略線断面図で示すような基本構造を有するものとすることができる。
ここで図４（ａ）に示すパネルは、相互に対向して平行をなす基板１１，１２間の、たとえば空気を封じ込めた密閉空間内に、互いに帯電特性の異なる、図では白黒二色の、粒子群、粉流体等からなる二種類の情報表示媒体１３を封入することにより構成してなる。
また図４（ｂ）の示すパネルは、上述したところに加えて、基板１１，１２間に、隔壁１４を、たとえば格子状に設けることによって表示セルを画成したものである。
【００３１】
このような情報表示パネルでは、帯電特性が異なる情報表示媒体１３に電界を付与することにより、低電位に帯電した情報表示媒体１３が、クーロン力等によって高電位の電界方向に向かって引き寄せられる一方、高電位に帯電した情報表示媒体１３が低電位の電界方向に向かって引き寄せられることになるので、それらの情報表示媒体１３は、電界方向の変化に伴って往復運動して、透明の基板１２側に所要の氏名情報等を表示することができる。
【００３２】
従って、図４に示すところでは、白色粒子１３Ｗと黒色粒子１３Ｂとの二色の情報表示媒体１３を、基板１１，１２の外部から形成される電界に応じて、それらの両基板間で垂直に移動させて、画素を単位として、白色粒子１３Ｗもしくは黒色粒子１３Ｂを観察者に視認させることで、透明基板１２にその表示を行うことができる。
【００３３】
図５（ａ）に示す情報表示パネルは、図４（ａ）について述べたところに加えて、それぞれの基板１１，１２の内面側にそれぞれの電極１５，１６を配設するとともに、少なくとも透明基板１２側の電極１６を透明電極としたものである。
そして図５（ｂ）に示すパネルは、図５（ａ）に示すパネルの基板１１，１２間に、隔壁１４を格子状その他に形成して表示セルを画成したものである。
なお、図４，５に示すこのような情報表示パネルにおいて、白色粒子１３Ｗを白色粉流体に、そして黒色粒子１３Ｂを黒色粉流体に置き換えることもできる。
【００３４】
ここで、図５に示す情報表示パネルを、図４について上述したように作動させるための駆動装置は、たとえば、図６に、隔壁１４を有する場合について模式的に例示するように構成することができる。
なお、図６に示すところでは説明の都合上、３×３のマトリックスを示しているも、そのマトリックス数は、各電極の数を増減することで任意に選択できることはもちろんである。
【００３５】
図６（ａ），（ｂ）に示すところにおいて、ほぼ平行に配置した表示電極１６−１〜１６−３と、同じくほぼ平行に配置した対向電極１５−１〜１５−３とは、互いにほぼ直交した状態で、透明基板１２及び対向基板１１の内面側に設けられており、表示電極１６−１〜１６−３には、それぞれ連続して二個設けられたＳＷ１６−１−１とＳＷ１６−１−２；ＳＷ１６−２−１とＳＷ１６−２−２；ＳＷ１６−３−１とＳＷ１６−３−２；が各別に接続されている。
同様に、対向電極１５−１〜１５−３には、それぞれ連続して二個設けられたＳＷ１５−１−１とＳＷ１５−１−２；ＳＷ１５−２−１とＳＷ１５−２−２；Ｗ１５−３−１とＳＷ３５−３−２；が各別に接続されている。
【００３６】
ＳＷ１６−ｎ−１（ｎ＝１〜３）とＳＷ１５−ｎ−１（ｎ＝１〜３）とは、グラウンドへの接続と次段のＳＷへの接続とを切り換える役目を果たし、ＳＷ１６−ｎ−２（ｎ＝１〜３）とＳＷ１５−ｎ−２（ｎ＝１〜３）とは、高電圧発生回路３７への接続と低電圧発生回路１８への接続とを切り換える役目を果たす。これらＳＷの全体がマトリックスドライブ回路１９を構成する。
また、本例では、隔壁１４により互いを隔離して３×３個の情報表示素子を構成しているが、この隔壁１４は必須ではなく、省くこともできる。
【００３７】
上述した表示電極１６−１〜１６−３と対向電極１５−１〜１５−３とからなるマトリックス電極の動作は、表示したい情報に応じて、図示しないシーケンサの制御により各ＳＷの開閉を制御して、３×３個の情報表示素子を順に表示させることで行われる。この動作は従来から知られているものと同じである。
【００３８】
このような構成の駆動装置において、マトリックスドライブ回路１９は、表示情報データにより、マトリックス電極の各電極に、高電位ＶＨ、低電位ＶＬ及び中間電位ＶＯを随時付与する。ここで、高電位ＶＨと低電位ＶＬとの差は２００Ｖ以下の電圧でよい。
中間電位ＶＯはそれらの中間に設定され、通常はグラウンド電位であることが好ましいが、その近辺の一定電位でも、ＶＨとＶＬとの平均電位（ＶＨ＋ＶＬ）／２、あるいは高電位ＶＨ、低電位ＶＬと同調して変化する電位であってもよい。高電位及び低電位の印加は、直流あるいはそれに交流を重畳しても良い。
【００３９】
なお、図６においては、非駆動時の各電極を、メカニカルリレーからなるＳＷで切り換えてグラウンド電位に接続している場合を例示しているが、半導体素子を用いたＳＷによる切り換えでもよいし、あるいは、固定抵抗体を介してグラウンド電位に接続してもよい。
【００４０】
かかる駆動装置では、情報表示媒体に対して、一方の電極に高電位を付与し、他方の電極に低電位を付与する場合と、その逆に、一方の電極に低電位を付与し、他方の電極に高電位を付与する場合の選択で、図４に関連して述べたように白色および黒色のそれぞれの粒子１３Ｗ、１３Ｂを所要に応じて移動させて、所定の情報表示を行う。
【００４１】
ここで、マトリックス電極の駆動においては、各電極に一度高電位又は低電位を印加した後に、次の電圧印加まで各電極をフロート状態にしておくと、他の電極からの電界の影響により、電位が変動してしまい、表示が乱れる。
そこでここでは、各電極に駆動電圧（高電位又は、低電位）が印加されていない場合には、各電極がインピーダンスでグラウンド等の中間電位ＶＯに接続されるようにマトリックスドライブ回路１９を設計しているも、この発明に係る、装着可能なネームプレート用表示板1は、所定固定での所定の氏名情報等の入力後には、そのマトリックスドライブ回路等から切り離されるので、実質的には、氏名等の情報の表示に乱れが生じる懸念はない。
【００４２】
以上のような情報表示パネルは、少なくとも一方が透明の対向する二枚の基板１１，１２間に、情報表示媒体１３を封入し、その情報表示媒体１３に電界を与えて、それを移動させて情報を表示する可逆性の表示パネルであり、ここでは、粒子または粉流体を情報表示媒体として使用し、その情報表示媒体１３を透明基板１２を介して視認させることで、白黒の大きなコントラストの下で、広い視野角を確保することができる。
【００４３】
また、情報表示媒体１３を移動させる時だけ電界を働かせ、移動後は、電界の作用なしにも、いいかえれば、電源等から切り離してなお、情報表示媒体１３は、一旦移動した位置に留まるので氏名等の表示情報を長時間にわたって保持することができる。
この一方で、情報を書き換えたい時には、情報表示パネルを電源等に接続して再び電界を働かせることで、情報表示媒体が再度移動して別の情報を表示することになるので、情報の書換えを可逆的に行うことができる。
【００４４】
なおここでは、情報表示媒体１３が情報を直接的に表示するので、情報表示媒体を構成する粒子のサイズが情報の鮮明さを決めることになる。そこでここでは、好ましくは、粒子径１〜２０μｍの粒子群等を画像表示媒体として用いることで、鮮明な情報の表示を担保して、繊細で緻密な情報の表示を可能とする。
【００４５】
かかる情報表示パネルをネームプレート用表示板として用いる場合には、一枚の、または複数枚の情報表示パネルよりなる所要の表示部２、３で、情報表示媒体１３を、電界中で所要に応じて移動させて、予め定めた氏名情報等を、たとえば、ネームプレートの予めの準備者、ネームプレートの着用者自身、入出門管理者等の手によって、ネームプレート用表示板１を特定個所で電源等に接続することに基いて、情報表示パネルの透明基板側に表示させることで、それを所定のネームプレートとする。
このようにしてなるネームプレートは、情報表示媒体１３のすぐれた表示保存性の下で、電源等から切り離して電圧の印加を停止してなお、入力された、図１に示すような氏名情報等を長期間にわたって維持することができるので、それを、紙等を表示媒体とするネームプレートと全く同様に機能させることができる。
【００４６】
この一方で、上記のネームプレートがその機能を発揮し終えた後は、表示された氏名情報等の全てを一旦消去して、それを元のネームプレート用表示板１とし、次いで、そこに次の使用者の氏名情報等を改めて書き込むことで、同一のネームプレート用表示板１を、資源の消費なしに多数回にわたって繰り返し使用することができる。
図１中の白抜き矢印は、氏名情報等のこのような書き換え例を示す。
【００４７】
ところで、一旦書き込まれた氏名の情報等は一般に、比較的長時間にわたって継続表示されるが多く、これにより、通常は、黒色の情報表示媒体によって表示される文字部分および、白色の情報表示媒体によって表示される背景部分のそれぞれで、情報表示媒体の、基板等への付着固化が生じ易く、それの、電界に対する応答性が低下するうれいがあるので、氏名情報等の、上述したような書き換えに当っては、たとえば白黒の色彩関係を一回以上にわたって反転させて後、白色もしくは黒色等をもって、既存の表示情報の完全なる消去を行うことが、情報表示媒体の基板への付着残留を防止するとともに、その情報表示媒体の電界応答性を高める上で好ましく、このようにすることで、書き換え後の氏名等の表示の鮮明度を高めることができる。
【００４８】
ここで、情報表示パネルの基板１１，１２については、それらの少なくとも一方の基板１２はパネルの外側から情報表示媒体の色が確認できる透明基板であり、この基板１２は、可視光の透過率が高くかつ耐熱性の良い材料で構成することが好適である。なお、基板１１は透明でも不透明でもかまわない。
基板材料を例示すると、ポリエチレンテレフタレート、ポリエーテルサルフォン、ポリエチレン、ポリカーボネート、ポリイミド、アクリル樹脂などのポリマーシートや、金属シートのように可撓性のあるもの、および、ガラス、石英などの可撓性のない無機シートが挙げられる。
【００４９】
基板の厚みは、２〜５０００μｍが好ましく、さらに５〜２０００μｍが好適である。薄すぎると、強度、基板間の間隔の均一性を保ちにくくなり、５０００μｍより厚いと、薄型の情報表示パネルとする場合に不都合がある。
【００５０】
また、必要に応じて設けられる電極１５，１６の構成材料としては、アルミニウム、銀、ニッケル、銅、金等の金属類やＩＴＯ、酸化インジウム、導電性酸化錫、導電性酸化亜鉛等の導電金属酸化物類、ポリアニリン、ポリピロール、ポリチオフェンなどの導電性高分子類が例示され、適宜選択して用いられる。
【００５１】
電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。
この場合、視認側基板１２に設ける表示電極１６は透明である必要があるが、背面側基板に設ける対向電極１５は透明である必要がない。
いずれの場合もパターン形成可能であり、導電性である上記材料を好適に用いることができる。
【００５２】
なお、電極の厚みは、導電性が確保でき光透過性に支障がなければ良く、３〜１０００ｎｍ、好ましくは５〜４００ｎｍが好適である。
背面側基板１１にもうける対向電極１５の材質や厚みになどは上述した視認側基板に設ける表示電極１６と同様であるが、透明である必要はない。
なお、この場合の外部電圧入力は、直流あるいは交流を重畳しても良い。
【００５３】
そして、これもまた必要に応じて設けられる隔壁１４については、その形状は表示にかかわる情報表示媒体の種類により適宜最適に設定されるので、一概には特定することができないが、隔壁の幅は２〜１００μｍ、好ましくは３〜５０μｍに、隔壁の高さは１０〜５００μｍ、好ましくは１０〜２００μｍに調整される。
また、隔壁を形成するにあたり、対向する両基板１１，１２の各々にリブを形成した後に接合する両リブ法、片側の基板上にのみリブを形成する片リブ法が考えられる。この発明では、いずれの方法も好適に用いられる。
【００５４】
これらのリブからなる隔壁１４により画成される表示セルは、図７に略線平面図で示すごとく、基板平面方向からみて四角状、三角状、ライン状、円形状、六角状が例示され、配置としては格子状やハニカム状や網目状が例示される。
表示側から見える隔壁部分に相当する部分（表示セルの枠部の面積）はできるだけ小さくした方が良く、画像表示の鮮明さが増す。
【００５５】
ここで、隔壁の形成方法を例示すると、金型転写法、スクリーン印刷法、サンドブラスト法、フォトリソ法、アディティブ法が挙げられる。いずれの方法もこの発明に係る情報表示パネルに好適に用いることができるが、これらのうち、レジストフィルムを用いるフォトリソ法や金型転写法が好適に用いられる。
【００５６】
次に、情報表示用パネルに用いる情報表示媒体１３としての粉流体について説明する。
なお、この発明に用いる情報表示媒体としての粉流体の名称については、出願人が「電子粉流体（登録商標）」の権利を得ている。
【００５７】
ここでの「粉流体」は、気体の力も液体の力も借りずに、自ら流動性を示す、流体と粒子の特性を兼ね備えた両者の中間状態の物質である。
例えば、液晶は液体と固体の中間的な相と定義され、液体の特徴である流動性と固体の特徴である異方性（光学的性質）を有するものである。（平凡社：大百科事典）。一方、粒子の定義は、無視できるほどの大きさであっても有限の質量をもった物体であり、重力の影響を受けるとされている（丸善：物理学事典）。
ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。
そこでここでは、このような気体の力も、液体の力も借りずに、自ら流動性を示す状態の物質を、特異的に作り出せることが判明し、これを粉流体と定義した。
【００５８】
すなわち、ここにおける粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、この発明に係る情報表示パネルは固体状物質を分散質とするものである。
【００５９】
ところで、この情報表示パネルは、少なくとも一方が透明の、対向する基板間に、情報表示媒体として、例えば気体中に固体粒子が分散質として安定に浮遊するエアロゾル状態で高流動性を示す粉流体を封入するものであり、このような粉流体は、低電圧の印加でクーロン力などにより容易に安定して移動させることができる。
この粉流体は、先に述べたように、気体の力も液体の力も借りずに、自ら流動性を示す、流体と粒子の特性を兼ね備えた両者の中間状態の物質である。その粉流体は、特にエアロゾル状態とすることができ、この情報表示パネルでは、気体中に固体状の物質が分散質として比較的安定に浮遊する状態で用いられる。
【００６０】
次に、情報表示用パネルで用いる画像表示媒体１３としての粒子について説明する。
粒子は、その主成分となる樹脂に、必要に応じて荷電制御剤、着色剤、無機添加剤等を含ますことがきる。以下に、樹脂、荷電制御剤、着色剤、その他添加剤を例示する。
【００６１】
樹脂の例としては、ウレタン樹脂、ウレア樹脂、アクリル樹脂、ポリエステル、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン、スチレンアクリル樹脂、ポリオレフィン、ブチラール樹脂、塩化ビニリデン樹脂、メラミン樹脂、フェノール樹脂、フッ素樹脂、ポリカーボネート、ポリスルフォン、ポリエーテル、ポリアミド等が挙げられ、二種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００６２】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。
正荷電制御剤としては例えば、ニグロシン染料、トリフェニルメタン系化合物、４級アンモニウム塩系化合物、ポリアミン、イミダゾール誘導体等が挙げられる。
その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００６３】
着色剤としては、以下に例示するような、有機または無機の各種、各色の顔料、染料が使用可能である。
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ等がある。
【００６４】
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００６５】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー1０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
【００６６】
橙色着色剤としては、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００６７】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００６８】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
【００６９】
また、情報表示媒体１３としての粒子は平均粒子径ｄ（０．５）が、０．１〜５０μｍの範囲であり、均一で揃っていることが好ましい。平均粒子径ｄ（０．５）がこの範囲より大きいと表示上の鮮明さに欠け、この範囲より小さいと粒子同士の凝集力が大きくなりすぎるために粒子の移動に支障をきたすようになる。
【００７０】
更にここでは、各粒子の粒子径分布に関して、下記式に示される粒子径分布Ｓｐａｎを５未満、好ましくは３未満とする。
Ｓｐａｎ＝（ｄ（０．９）−ｄ（０．１））／ｄ（０．５）
（但し、ｄ（０．５）は粒子の５０％がこれより大きく、５０％がこれより小さいという粒子径をμｍで表した数値、ｄ（０．１）はこれ以下の粒子の比率が１０％である粒子径をμｍで表した数値、ｄ（０．９）はこれ以下の粒子が９０％である粒子径をμｍで表した数値である。）
Ｓｐａｎを５以下の範囲に納めることにより、各粒子のサイズが揃い、均一な粒子移動が可能となる。
【００７１】
さらにまた、各粒子の相関について、使用した粒子の内、最大径を有する粒子のｄ（０．５）に対する最小径を有する粒子のｄ（０．５）の比を５０以下、好ましくは１０以下とすることが肝要である。
【００７２】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、粒子径および粒子径分布は、体積基準分布から得られたものである。具体的には、Ｍａｓｔｅｒｓｉｚｅｒ２０００（Ｍａｌｖｅｒｎ  Ｉｎｓｔｒｕｍｅｎｔｓ  Ｌｔｄ．）測定機を用いて、窒素気流中に粒子を投入し、付属の解析ソフト（Ｍｉｅ理論を用いた体積基準分布を基本としたソフト）にて、粒子径および粒子径分布の測定を行なうことができる。
【００７３】
情報表示媒体を構成する粒子の帯電量は当然その測定条件に依存するが、情報表示パネルにおける情報表示媒体を構成する粒子の帯電量はほぼ、初期帯電量、隔壁との接触、基板との接触、経過時間に伴う電荷減衰に依存し、特に情報表示媒体を構成する粒子の帯電挙動の飽和値が支配因子となっているということが分かった。
【００７４】
さらに、乾式の情報表示媒体を用いる、ここにおける情報表示パネルでは、基板間の情報表示媒体を取り巻く空隙部分の気体の管理が重要であり、表示の安定性向上に寄与する。具体的には、空隙部分の気体の湿度について、２５℃における相対湿度を６０％ＲＨ以下、好ましくは５０％ＲＨ以下、更に好ましくは３５％ＲＨ以下とすることが重要である。
【００７５】
この空隙部分とは、図４（ａ）、（ｂ）〜図５（ａ）、（ｂ）において、対向する基板１１、１２に挟まれる部分から、電極１５、１６、情報表示媒体１３（粒子群あるいは粉流体）の占有部分、隔壁１４の占有部分（隔壁を設けた場合）、情報表示パネルのシール部分を除いた、いわゆる情報表示媒体３３が接する気体部分を指すものとする。
【００７６】
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。
この気体は、その湿度が保持されるように情報表示パネルに封入することが必要であり、例えば、情報表示媒体の充填、情報表示パネルの組み立てなどを所定湿度環境下にて行い、さらに、外からの湿度侵入を防ぐシール材、シール方法を施すことが肝要である。
【００７７】
ここでの情報表示用パネルにおける基板１１と基板１２との間隔は、情報表示媒体１３が移動できて、コントラストを維持できればよいが、通常１０〜５００μｍ、好ましくは１０〜２００μｍに調整される。
対向する基板間の空間における情報表示媒体１３の体積占有率は５〜７０％が好ましく、さらに好ましくは５〜６０％である。
７０％を超える場合には情報表示媒体１３の移動に支障をきたし、５％未満の場合にはコントラストが不明確となり易い。
【産業上の利用可能性】
【００７８】
情報表示パネルの、二色の情報表示媒体の色彩の組み合わせは、先に述べたような、白色と黒色等のみならず、実現可能な各種の色彩の任意の組み合わせとすることができる。
【図面の簡単な説明】
【００７９】
【図１】装着可能なネームプレート用表示板の実施形態を示す正面図である。
【図２】着衣への取付け手段を例示する斜視図である。
【図３】支持脚を例示する斜視図である。
【図４】表示部として用いることができる情報表示パネルの基本構造を概念的に例示する断面図である。
【図５】情報表示パネルの他の基本構造を概念的に例示する断面図である。
【図６】情報表示パネルの駆動装置を例示する図である。
【図７】隔壁により区画される表示セルの配置例を示す略線平面図である。
【符号の説明】
【００８０】
１  装着可能なネームプレート用表示板
２  氏名情報表示部
３  日付け情報表示部
４  クリップ
５  安全ピン
６  裏打ち支持板
７  支持脚
１１，１２  基板
１３  情報表示媒体
１３Ｗ  白色粒子
１３Ｂ  黒色粒子
１４  隔壁
１５，１６  電極
１７  高電圧発生回路
１８  低電圧発生回路
１９  マトリックスドライブ回路
【図１】
2006058620.tif 000003
【図２】
2006058620.tif 000004
【図３】
2006058620.tif 000005
【図４】
2006058620.tif 000006
【図５】
2006058620.tif 000007
【図６】
2006058620.tif 000008
【図７】
2006058620.tif 000009